(57)【要約】【課題】本発明は、タッチパネルへの傷の発生や割れ等の発生を抑制した振動機能付きタッチパネル入力装置を提供することを目的とする。  【解決手段】  本発明のタッチパネル入力装置は、タッチパネル、フレーム、電磁駆動方式の振動素子、振動吸収部品、表示板を有する。タッチパネルは、両面テープ等によって、フレームと接着される。フレームには、電磁駆動方式の振動素子が取り付けられる。電磁駆動方式の振動素子は、フレームごとタッチパネルを振動させるために充分な振動力を有することが求められる。表示板は、振動吸収部品によって、フレームと接着される。表示板は、タッチパネル入力装置を使用して入力する情報を表示するものであれば良い。振動吸収部品は、接着面に接着剤等を備え、フレームの振動が、タッチパネル以外の部分に伝わるのを吸収する。【選択図】図１
2009211417.tif 000002
【特許請求の範囲】
【請求項１】
タッチパネルと、
前記タッチパネルと接着するフレームと、
前記フレームに取り付けられる電磁駆動方式の振動素子と、
前記フレームと振動吸収部品により接着する表示板と、
を具備するタッチパネル入力装置。
【請求項２】
請求項１記載のタッチパネル入力装置であって、
前記振動素子は、平板上鉄片と凹字状鉄心と前記凹字状鉄心に巻かれた励磁コイルとから構成され、前記平板上鉄片と前記凹字状鉄心の間の磁気ギャップを変化させることで振動を発生させる電磁駆動方式の振動素子であること、
を特徴とするタッチパネル入力装置。
【請求項３】
請求項１または２記載のタッチパネル入力装置であって、
前記タッチパネルと前記フレームとは前記フレームの全周にわたって接着されていること、
を特徴とするタッチパネル入力装置。
【請求項４】
請求項１から３記載のタッチパネル入力装置であって、
前記振動素子が前記フレームを全体的に均一に振動させること、
を特徴とするタッチパネル入力装置。
【請求項５】
請求項１から３記載のタッチパネル入力装置であって、
前記振動素子を複数備え、前記フレームの中心について各振動素子と点対称の位置には、他の何れかの振動素子が配置されていること、
を特徴とするタッチパネル入力装置。
【請求項６】
請求項１から５記載のタッチパネル入力装置であって、
前記振動吸収部品が前記フレームと前記表示板を４点により接着すること、
を特徴とするタッチパネル入力装置。
【発明の詳細な説明】
【技術分野】
【０００１】
本発明は、タッチパネルの操作時に振動素子でタッチパネルを振動させることにより、操作感を持たせたタッチパネル入力装置に関する。
【背景技術】
【０００２】
振動機能付きタッチパネル入力装置には、タッチパネルを振動させることと、タッチパネルの振動を他の構成部品へ伝えないことが求められる。このような要求を満たすものとして、特許文献１の発明がある。これは、タッチパネルに直接振動素子を取り付ける方式である。
【特許文献１】特開２００６−２１５８４９号公報
【発明の開示】
【発明が解決しようとする課題】
【０００３】
タッチパネルは、上ガラス、シール剤、下ガラスからなる構造等において、剛性のある下ガラス側に振動素子を取り付けるのが一番効率的である。しかし、ガラスはキズが発生しやすく、割れやすいため、加工が難しく量産性がなかった。  
【０００４】
そこで、本発明は、タッチパネルへの傷の発生や割れ等の発生を抑制したタッチパネル入力装置を提供することを目的とする。
【課題を解決するための手段】
【０００５】
本発明のタッチパネル入力装置は、タッチパネル、フレーム、電磁駆動方式の振動素子、振動吸収部品、表示板を有する。タッチパネルは、両面テープ等によって、フレームと接着される。フレームには、電磁駆動方式の振動素子が取り付けられる。電磁駆動方式の振動素子は、フレームごとタッチパネルを振動させるために充分な振動力を有することが求められる。表示板は、振動吸収部品によって、フレームと接着される。表示板は、タッチパネル入力装置を使用して入力する情報を表示するものであれば良い。振動吸収部品は、接着面に接着剤等を備え、フレームの振動が、タッチパネル以外の部分に伝わるのを吸収する。操作者がタッチパネルを作動させた場合には、タッチパネル及びフレームごと振動素子が上下に振動し、操作者へ操作感を伝えるが、振動吸収部品に吸収されるためタッチパネル装置全体への振動は抑制される。なお、タッチパネル入力装置本体は、全体を覆う上ケースを有してもよい。
【発明の効果】
【０００６】
従来技術同様、振動素子の振動が、装置内に収容された他の構成部品へ伝わるのを抑制できる。さらに、従来技術のように振動素子を直接タッチパネルに取り付けないため、タッチパネルのキズや割れ等が発生しづらい。
【発明を実施するための最良の形態】
【０００７】
ここで、本発明の実施例について述べる。
【実施例】
【０００８】
図１は、実施例のタッチパネル入力装置の構成例を示す分解斜視図である。図２は、実施例のタッチパネル入力装置の構成例を示す斜視図である。
【０００９】
タッチパネル入力装置１０は、タッチパネル１００、両面テープ１１０、フレーム２００、振動素子３００、振動吸収部品４００、表示板５００、上ケース５１０を有している。
タッチパネル１００は、公知の構造を有している。例えば、矩形であり、上ガラス、シール剤、下ガラスからなる構造である。
【００１０】
両面テープ１１０によって、タッチパネル１００とフレーム２００は接着される。両面テープ１１０は、例えば、剛性のあるＰＥＴを基材とする。剛性があるものの方が、タッチパネル操作者へ伝わる振動の減衰を抑えることができるので適している。なお、タッチパネル１００とフレーム２００とはフレーム２００の全周にわたって接着されていることによって、タッチパネル１００を全体的に均一に振動させることができる。
【００１１】
フレーム２００は、振動素子３００が取り付けられる。フレーム２００は、例えば、枠形であり、ばね性、剛性があるＳＵＳ製である。ばね性、剛性があるものの方が振動を効率良く伝えられるため適している。フレーム２００の振動素子３００が取り付けられる辺は、他の部品（タッチパネル１００や表示板５００等）と振動素子３００が接触しないような形状にする。例えば、振動素子３００がはみだすように広くすればよい。
【００１２】
振動素子３００には、フレーム２００ごとタッチパネル１００を上下に振動させるのに充分な振動力を有する電磁駆動方式を用いる。例えば、特許第３８０９８６９公報記載の平板上鉄片と凹字状鉄心と前記凹字状鉄心に巻かれた励磁コイルとから構成され、前記平板上鉄片と前記凹字状鉄心の間の磁気ギャップを変化させることで振動を発生させる電磁駆動方式の振動素子がある。このような振動素子を用いることで、操作者がタッチパネル１００を指やペンで作動させた際に、操作感を伝えることができる。なお、振動素子３００をフレーム２００の対辺（左右または上下）上にセンターラインを挟んで対角の位置（フレームの中心について点対称な位置）に２個配置することによって、タッチパネル１００及びフレーム２００を全体的に均一に振動させることができる。図３は、振動素子の取付配置の例である。振動素子３００は、２個に限る必要はなく、さらに多くの振動素子を備えてもよい。このように振動素子を追加するときにも、フレームの中心について点対称な位置となるように配置すればよい。
【００１３】
振動吸収部品４００によって、フレーム２００と表示板５００は接着される。振動吸収部品４００は、柔らかな材質（例えば、高密度ウレタンフォーム、シリコンゴム、エラストマー、ゲル状の耐震シート等）からなり、振動が他部品に伝わり悪影響を与えたり、振動力が減少したり、部品同士が共振してびびり音等が発生したりすることを防止または抑制する。振動吸収部品４００は、フレームと表示板を全周にわたって接着する以外に、４点により接着することもできる。振動吸収部品４００の取付面積が少ない場合は、タッチパネル１００及びフレーム２００のタッチパネル操作者へ伝わる振動を弱めないという効果がある。図４は、振動吸収部品によって、フレームと表示板を４点により接着する場合の例である。
【００１４】
表示板５００は、例えば矩形であり、タッチパネル入力装置により入力する情報を表示することができればよく、液晶モジュール等を用いてもよい。
上ケース５１０は、例えば、プラスチック製の枠形である。ただし、タッチパネル入力装置１０に上ケース５１０を設けなくてもよい。上ケース５１０を設ける場合には、上ケース５１０とタッチパネル１００が接触しないようにするか、または、間にクッション材等を挟み込むことで、接触音の発生やガラスへの傷の発生や割れ等を抑制できる。
【００１５】
なお、図示していないが、タッチパネル入力装置１０は、図示しない電気・電子回路等が固定される筐体を表示板の後ろに設けてもよい。
【００１６】
操作者は、透明なタッチパネルを通して、表示板を見ながら、操作をすることができる。操作をすると、振動素子３００が上下方向に振動するのに伴い、タッチパネル１００及びフレーム２００も上下方向に振動し操作感を伝える。振動吸収部品４００は、フレーム２００の振動がタッチパネル１００以外の構成部に伝わるのを防止又は抑制する。振動素子３００は、フレーム２００に取り付けられるため、タッチパネル１００に直接振動素子３００を取り付ける場合に比べ、ガラスのキズや割れ等が発生しづらいという効果がある。さらに、タッチパネル１００自体に特別な加工や設計の配慮をしなくても、振動素子を取り付けたフレームを追加することにより、既存のタッチパネルを利用して、容易に充分な振動力のあるタッチパネル入力装置を実現できるという特徴がある。加えて、振動力のある振動素子を利用し、振動パターンを自由に設定でき、個々のタッチパネル仕様に適した設定ができる。
【００１７】
以上、本発明について実施の形態に即して説明したが、本発明は上記実施の形態に限定されるものではない。
【図面の簡単な説明】
【００１８】
【図１】実施例のタッチパネル入力装置の構成例を示す分解斜視図である。
【図２】実施例のタッチパネル入力装置の構成例を示す斜視図である。
【図３】振動素子の取付配置の例である。
【図４】振動吸収部品によって、フレームと表示板を４点により接着する場合の例である。
【符号の説明】
【００１９】
１０  タッチパネル入力装置
１００  タッチパネル              １１０  両面テープ
２００  フレーム             ３００  振動素子
４００  振動吸収部品           ５００  表示板
５１０  上ケース
【図１】
2009211417.tif 000003
【図２】
2009211417.tif 000004
【図３】
2009211417.tif 000005
【図４】
2009211417.tif 000006